(57)【要約】【課題】耐衝撃性を確保してカートリッジの品質を保障することができるとともに、収納作業効率の高いカートリッジ収納ケースを得ること。【解決手段】磁気テープ巻回リール２５が内設される扁平体状のカートリッジ２７を収納するカートリッジ収納ケース１００であって、複数のカートリッジ２７を厚さ方向に並置させてブロック状としたカートリッジ群３５を保持する複数の区画室３３が形成され、磁気テープ巻回リール２５の軸方向の区画室３３同士の間に仕切り部５３（溝部分５３ａ）が形成されたカートリッジ収納ケース１００。【選択図】図１
2007204080.tif 000002
【特許請求の範囲】
【請求項１】
磁気テープ巻回リールが内設される扁平体状のカートリッジを収納するカートリッジ収納ケースであって、
複数の前記カートリッジを厚み方向に並置させてブロック状としたカートリッジ群を保持する複数の区画室と、
前記区画室を実質的に形成するように前記収納ケース内を区切る仕切り部とを備えるカートリッジ収納ケース。
【請求項２】
前記収納ケースが可塑性樹脂の一体成形からなり、少なくとも前記カートリッジ厚み方向に並ぶ前記複数区画室の間で前記仕切り部が前記収納ケース内方へ所定高さに突出成形される請求項１記載のカートリッジ収納ケース。
【請求項３】
前記カートリッジ厚み方向に平行な前記収納ケース側部での前記仕切り部成形によるケース内方への絞り込み程度が所望のケース弾性に対応する所定値である請求項２記載のカートリッジ収納ケース。
【請求項４】
相互に係合する凸部と凹部とを備えた同一構造の上ケース及び下ケースを、重ね合わせて該凸部と該凹部とを係合することで前記区画室が形成される請求項１〜請求項３のいずれか１項記載のカートリッジ収納ケース。
【請求項５】
前記可塑性樹脂が、ポリエチレンテレフタレート、ポリプロピレン、ポリスチレンのいずれかを含む請求項２〜請求項４のいずれか１項記載のカートリッジ収納ケース。
【請求項６】
前記可塑性樹脂が、透光性を有する請求項２〜請求項５のいずれか１項記載のカートリッジ収納ケース。
【請求項７】
０．５〜２．０ｍｍの厚みを有する前記可塑性樹脂のシートを延伸加工して形成した請求項２〜請求項６のいずれか１項記載のカートリッジ収納ケース。
【発明の詳細な説明】
【技術分野】
【０００１】
本発明は、磁気テープ巻回リールが内設される扁平体状のカートリッジを収納するカートリッジ収納ケースに関し、特に、収納されたカートリッジに対する耐衝撃性を高め、カートリッジの収納作業効率を高める改良技術に関する。
【背景技術】
【０００２】
従来、ワンリール型の磁気記録テープカートリッジを集積包装する場合、図４に示すように、各カートリッジ１を１巻単位でケース３に収納し、そのケース３を複数個毎に段ボール箱５に詰めて緩衝性を保持していた。
しかし、この集積包装の場合、カートリッジ１が段ボール箱５内に収納されるため、カートリッジ１の有無や種別等を確認するためには段ボール箱５を開封する必要があり、利便性に問題があった。また、段ボール詰めでは浸水時に濡れてしまい、段ボール箱５が壊れてしまうという問題もあった。
【０００３】
このようなことから、水に濡れてもケース強度に支障を来さず、中身の見える透明のプラスチックでカートリッジ１を集積包装する例えば図５に示すケース７が非特許文献１に開示され、市場に提供されるようになった。
【非特許文献１】ＵＴＯ−Ｕｌｔｒｉｕｍ  Ｌ−ｐａｃｋ、［online］、ＴＤＫ株式会社、［平成１７年１１月１４日検索］、インターネット＜URL:http://www.tdk.com/professional/lto/ltopack.html＞
【特許文献１】特開２００３−２８５４２４号公報
【発明の開示】
【発明が解決しようとする課題】
【０００４】
図５には、上記非特許文献１に記載のケース７を示している。このケース７においては、個々のカートリッジ１を収納するための収納空間９が複数の仕切り突起１１に区画され、この収納空間９にカートリッジ１を１巻単位で保管するものであった。つまり、カートリッジ１が分散収納されていた。このため、実際の収納作業ではカートリッジ１を一つ一つ納めることとなり、特にカートリッジ１が大量にある場合には使い勝手が悪くなる問題があった。
【０００５】
また、上記ケース７においては、収納空間９が一つ一つで区画されているため、収納面積（すなわち、ケース７の上面開口面積）の全体が個々の収納空間９によって等分割される。このため、最端部のケース部位１３，１５では、カートリッジ１の略全数の荷重が集中し、耐衝撃性に乏しくなり、落下時における衝撃吸収能力が低くなるという問題があった。
【０００６】
再度図４を参照すると、一般的に、カートリッジ１は、磁気テープ巻回リール１ａの軸方向に加わる衝撃に弱い。これは、磁気テープ巻回リール１ａに巻回されている磁気テープ１ｂの端面にはテープ飛び出しが発生している場合があり、このテープ飛び出しによりテープ縁が磁気テープ巻回リール１ａのフランジ１ｃに当たることで、テープが潰れたり折れ曲がったりすると、磁気テープ１ｂの円滑な巻き取り・繰り出しが阻害され、最悪の場合、読み書きができなくなってしまうためである。
上記ケース７においても、収納したカートリッジ１の磁気テープ巻回リールの軸方向に衝撃が与えられると、その衝撃がカートリッジ１に直接的に加わるために、磁気テープのフランジへの当接を防ぐことがし難いという問題は残っている。
【０００７】
本発明は上記状況に鑑みてなされたもので、耐衝撃性を確保してカートリッジの品質を保障することができるとともに、収納作業効率の高いカートリッジ収納ケースを得ることを目的とする。
【課題を解決するための手段】
【０００８】
本発明に係る上記課題は、下記構成により達成される。
（１）磁気テープ巻回リールが内設される扁平体状のカートリッジを収納するカートリッジ収納ケースであって、複数の前記カートリッジを厚み方向に並置させてブロック状としたカートリッジ群を保持する複数の区画室と、前記区画室を実質的に形成するように前記収納ケース内を区切る仕切り部とを備えるカートリッジ収納ケース。
【０００９】
このカートリッジ収納ケースによれば、仕切り部が磁気テープ巻回リールの軸方向の区画室同士の間に形成されているために、落下させてしまった場合や、外部から物体が衝突した場合等に、クッション材となってその衝撃を吸収し、区画室内のカートリッジに衝撃を与えることがない。従って、磁気テープを磁気テープ巻回リールのフランジに当てないようにすることで、磁気テープを所定の巻き状態に保持してカートリッジの品質を保障することができる。
【００１０】
（２）前記収納ケースが可塑性樹脂の一体成形からなり、少なくとも前記カートリッジ厚み方向に並ぶ前記複数区画室の間で前記仕切り部が前記収納ケース内方へ所定高さに突出成形される請求項１記載のカートリッジ収納ケース。
【００１１】
収納ケースが可塑性樹脂の一体成形であり、仕切り部が収納ケース内方へ所定高さに突出成形されることで、この仕切り部に沿って収納ケースがある程度の弾性を備え、外部からの衝撃吸収の一端を担うことができる。従って、磁気テープを所定の巻き状態に保持してカートリッジの品質を保障することができる。仕切り部の収納ケース内方への所定高さとしては、カートリッジ群を確実に保持することができる程度が望ましい。また、比較的入手の容易な材料を用いて、高精度なケースが容易かつ安価に量産可能となる。
【００１２】
（３）前記カートリッジ厚み方向に平行な前記収納ケース側部での前記仕切り部成形によるケース内方への絞り込み程度が所望のケース弾性に対応する所定値である上記（２）記載のカートリッジ収納ケース。
【００１３】
このように、収納ケース側部での絞り込み程度が所望のケース弾性に対応する所定値とすることは、つまり、収納ケースの剛性と衝撃吸収能力とを最適の絞り込み程度によりバランスさせることができる。ここで、絞り込みの程度を大きくするということは、仕切り部の収納ケース内方への突出成形高さを高くすることとほぼ同じであり、ケースとしての強度に問題が発生する可能性があり、突出成形高さが低すぎると、カートリッジの保持にも問題があり、ケースとしての強度が強くなり過ぎ、カートリッジに衝撃を伝えてしまう恐れもある。
この絞り込みの程度として、
絞り込み深さ／収納ケースの深さ＝０．４〜０．６が好適である。
このカートリッジ収納ケースによれば、落下させてしまった場合や、外部から物体が衝突した場合等に、その際の衝撃を受けて撓むことで、磁気テープ巻回リールの軸方向の衝撃をそらすことができる。
【００１４】
（４）相互に係合する凸部と凹部とを備えた同一構造の上ケース及び下ケースを、重ね合わせて該凸部と該凹部とを係合することで前記区画室が形成される上記（１）〜（３）のいずれか１に記載のカートリッジ収納ケース。
【００１５】
このカートリッジ収納ケースによれば、例えば、ケースのセンター線を対称に、左右に相互係合可能な凹凸部を形成しておくことで、２つの同一ケースを容器と蓋の関係として重ね合わせることによって凹凸を係合させ、一つの収納容器を構成することが可能となる。本収納ケースの構成においても、同様に、２つの同一構造のケースを上ケース、下ケースとして利用する。つまり、一つのケースが、蓋としても、身としても使用されることとなる。これにより、一つの金型により成形した一種類のケースを用いて、凹凸部により開閉が可能となる区画室の形成されるカートリッジ収納ケースが構成可能となる。
【００１６】
（５）前記可塑性樹脂が、ポリエチレンテレフタレート、ポリプロピレン、ポリスチレンのいずれかを含むことを特徴とする上記（２）〜（４）のいずれか１つに記載のカートリッジ収納ケース。
【００１７】
このカートリッジ収納ケースによれば、可塑性樹脂が、ポリエチレンテレフタレート、ポリプロピレン、ポリスチレンのいずれかとなることで、材料の容易な入手が可能となるとともに、容易かつ安価な真空成型が可能となる。
【００１８】
（６）前記可塑性樹脂が、透光性を有する上記（２）〜（５）のいずれか１つに記載のカートリッジ収納ケース。
【００１９】
このカートリッジ収納ケースによれば、上ケースと下ケースとが係合され、区画室が密閉状態となった場合においても、区画室内に収納されるカートリッジが外部より視認可能となり、密閉区画室内のカートリッジ収納状況が容易に把握可能となる。
【００２０】
（７）０．５〜２．０ｍｍの厚みを有する前記可塑性樹脂のシートを延伸加工して形成したことを特徴とする上記（２）〜（６）のいずれか１つに記載のカートリッジ収納ケース。
【００２１】
このカートリッジ収納ケースによれば、厚みが０．５〜２．０ｍｍの可塑性樹脂のシートを延伸加工して形成することで、複数のカートリッジ群を収納する区画室の最低構造強度が経済的に確保されるとともに、ケース全体の重量も最低強度を満足しつつ最小とすることができる。また、上記厚さで形成されることで、外力が加えられた際の適度な変形が可能となり、カートリッジに対する衝撃吸収作用を最適に確保することが可能となる。つまり、これより薄いと、変形が容易となり過ぎ、衝撃吸収効果が低下する。また、これより厚いと、変形し難くなり、衝撃力がカートリッジに直接伝達されてしまうことになる。本構成では、可塑性樹脂のシート厚みが上記厚さに設定されることで、最適な衝撃吸収部（クラッシャブルゾーン）の形成が可能となる。
【発明の効果】
【００２２】
本発明に係るカートリッジ収納ケースによれば、外部から物体が衝突した場合や、落下させてしまった場合等に、磁気テープ巻回リールの軸方向に衝撃が与えられたとしても、その衝撃を仕切り部が吸収して磁気テープを磁気テープ巻回リールのフランジに当てないようにすることでカートリッジの品質を保障することができる。また、収納ケースが可塑性樹脂の一体成形であり、仕切り部が収納ケース内方へ所定高さに突出成形されることで、この仕切り部に沿って収納ケースがある程度の弾性を備え、外部からの衝撃吸収の一端を担うことができる。従って、磁気テープを所定の巻き状態に保持してカートリッジの品質を保障することができる。更に、仕切り部形成過程における収納ケース側部での絞り込み程度が所望のケース弾性に対応する所定値とすることで、収納ケースの剛性と衝撃吸収能力とを最適の絞り込み程度によりバランスさせることができる。
【発明を実施するための最良の形態】
【００２３】
以下、本発明に係るカートリッジ収納ケースの好適な実施の形態について、図面を参照して詳細に説明する。
図１は本発明に係るカートリッジ収納ケースの上ケースと下ケースとの分離された分解斜視図、図２は図１に示した下ケースの平面視を（ａ）その側面視を（ｂ）に示した下ケース説明図、図３は図１に示したカートリッジ収納ケースの上ケースと下ケースとを組み付けた斜視図である。
本実施の形態に係るカートリッジ収納ケース（以下、単に「収納ケース」とも称す。）１００は、磁気テープ２１を一対のフランジ２３の内側に巻回した磁気テープ巻回リール２５が内設される扁平体状のカートリッジ２７を収納する場合に好適に用いることができる。
【００２４】
カートリッジ２７は、磁気テープ巻回リール２５を、軸線が厚さ方向となる向きで内設している。本実施の形態では、カートリッジ２７が正方形の扁平体である場合を例に説明するが、カートリッジ２７は、この他、矩形状の扁平体状であってもよい。
【００２５】
収納ケース１００は、同一構造の上ケース２９と、下ケース３１とを上下から重ね合わせて係合することにより、開閉可能となる。これら上ケース２９と下ケース３１とを係合することにより、その内部に複数の区画室３３が形成されるようになっている。本実施の形態では、上ケース２９、下ケース３１のそれぞれは、可塑性樹脂の一体成形品からなる。このため、比較的取り扱い性が容易な材料を用いて、カートリッジ２７を確実に保護する堅牢性と、適宜な衝撃吸収性を備えた上ケース２９、下ケース３１が容易かつ安価に量産可能となっている。
【００２６】
そして、本実施の形態では、４つの区画室３３が形成される。それぞれの区画室３３には、複数のカートリッジ２７を図１に示すように、厚さ方向に並置させてブロック状としたカートリッジ群３５を保持可能としている。なお、カートリッジ２７は、図１に示すように、強度の弱いテープ取り出し口を区画室３３の中央側になるように、テープ取り出し口を上にする向きで配置する。さらに好ましくは、テープ取り出し口を区画室３３毎で相互に向かい合わせる配置とするとよい。その場合には、テープ取り出し口が収納ケース１００の中央側に向けられて、ケース外方からの衝撃からテープ取り出し口を保護することができる。
【００２７】
本実施の形態では、１つの区画室３３が、５つのカートリッジ２７からなるカートリッジ群３５の体積と、略同一の収納容積を形成している。したがって、各区画室３３には、カートリッジ２７を無造作に詰め込んでも、個々のカートリッジ２７に対する仕切壁がないので、簡単に入れることができる。例えば、カートリッジ２７の２〜３個は纏めて掴んで詰め込むことができ、一つ一つ掴んで挿入する従来品とは、収納の作業効率が格段に向上されている。
【００２８】
このように、複数のカートリッジ２７が、ブロック状に纏めて収納される分、同一の収納面積で複数のカートリッジ２７が分散収納される場合に比べ、収納に寄与しない余剰面積が確保可能となる。収納ケース１００では、この余剰面積部分が衝撃吸収部（所謂クラッシャブルゾーン）として利用されている。
【００２９】
すなわち、上ケース２９、下ケース３１の磁気テープ巻回リール２５の軸線方向両端側には、衝撃吸収部であるフランジ３７，３７が横方向に延設されている。それぞれのフランジ３７には、中央部を角孔形状に切除した取手孔３９が形成されている。つまり、上ケース２９と下ケース３１とが係合された収納ケース１００は、いずれか一方の取手孔３９に手（指）を入れて、他方のフランジ３７が下方となるようにして持ち運びすることが可能となっているとともに持ち上げることが可能になっている。これとは異なり、収納ケース１００は、両手で両側の取手孔３９，３９を掴んで、水平方向に持ち運んだり垂直方向に持ち上げたりすることもできる。
【００３０】
一般に、カートリッジ２７は、リール軸方向に加わる衝撃に弱い。これは、巻きテープの端面にはテープ飛び出しが発生している場合があり、このテープ飛び出しによりテープ端がリールフランジに当たることで、テープが潰れたり折れ曲がる等すると、磁気テープの円滑な巻き取り繰り出しが阻害され、最悪の場合、読み書きができなくなってしまうためである。本実施の形態では、カートリッジ２７のリール軸線方向に、衝撃吸収部となるフランジ３７を配設することにより、衝撃に対して脆弱なリール軸線方向の耐衝撃性が向上されるようになっている。
【００３１】
一方、各区画室３３の壁面には、区画室３３内に収納されるカートリッジ２７における磁気テープ巻回リール２５の軸方向に第１緩衝リブ４１が形成されている。第１緩衝リブ４１は、磁気テープ巻回リール２５の軸方向に凹凸状に連続されている。また、各区画室３３の壁面には、区画室３３内に収納されるカートリッジ２７における磁気テープ巻回リール２５の軸方向に直交する方向に第２緩衝リブ４３が形成されている。第２緩衝リブ４３は、磁気テープ巻回リール２５の軸方向に直交する方向に凹凸状に連続されている。
加えて、各区画室３３のコーナー部には、カートリッジ２７の稜線部を包囲するような第３緩衝リブ４５が形成されている。
【００３２】
収納ケース１００は、相互に係合する凸部（凸条）４７と凹部（凹溝）４９とを備えた同一構造の上ケース２９と下ケース３１とからなる。本実施の形態では、４つの区画室３３を包囲する周囲に、図２（ａ）のケースセンター線５１を対称に、上下に凸条４７と凹溝４９とが形成されている。すなわち、上ケース２９と下ケース３１とは、ケースセンター線５１を挟み、一方にコ字状の凸条４７が連続して形成され、他方にコ字状の凹溝４９が連続して形成されている。
【００３３】
可撓性樹脂から形成されて、同一構造である上ケース２９と下ケース３１とが上下に組み合わされたときに、凸条４７が凹溝４９に入り込み、双方が係合する。これにより、区画室３３が密閉されて耐水性を得ることができ、水に浮くことも可能である。また、ほこり、湿気、跳ねかけられた水、及び他の有害物質に対してカートリッジ２７を保護することができる。つまり、一つのケースが、蓋としても、身としても使用されることとなる。このことから一つの金型により形成した一種類のケースを用いて、凸条４７、凹溝４９により開閉が可能となる区画室３３の形成される収納ケース１００が構成されている。
【００３４】
また、各区画室３３同士の間には、仕切り部５３が設けられている。仕切り部５３は、衝撃に対する変形が容易となるようにその形状及び後述の高さで形成されている。すなわち、落下時に仕切り部５３の曲面形状が変形し、樹脂材料自体の弾性力と相まってその衝撃を緩和する。本実施形態では、仕切り部５３の曲面形状を入れた衝撃吸収構造は、落下方向がフランジ３７のある側、即ち磁気テープ巻回リール２５の軸方向からであっても、或いはそれと垂直方向であってもよいように、４方に配設された区画室３３を４つに仕切るように十字方向の仕切り部５３が形成されている。この仕切り部５３は収納ケース１００の一体成型時にケース内方へ突出するように成形される。
【００３５】
交差する仕切り部５３は、磁気テープ巻回リール２５の軸方向に直交する方向に配置されている一方の高さ寸法が小さく形成されている。そのため、この収納ケース１００が落下した場合や、外部から物体が衝突した場合等に、磁気テープ巻回リール２５の軸方向の衝撃を吸収しやすくなっており、区画室３３内のカートリッジ２７への衝撃を和らげることができる。これにより、磁気テープ２１端面を磁気テープ巻回リール２５のフランジ２３に当てないようにすることで、磁気テープ２１を所定の巻き状態に保持してカートリッジ２７の品質を維持することができる。
【００３６】
この仕切り部５３は、区画室３３の底面に隣接する部分のみを収納ケース１００の内方へ突出成型して、収納ケース１００の側部は形状変更しない構成とすることもできるが、本実施形態では、仕切り部５３を収納ケース１００の内方へ突出成型させる過程において、収納ケース１００の側面をも絞り込む形状としている。この時、例えば、図２（ｂ）に示すように、下ケース３１をケース外側から見ると、仕切り部５３は収納ケース１００の側面の溝部分５３ａの形状に対応する。従って、本実施形態では、仕切り部５３の所定高さ形成は、溝部分５３ａの所定値による絞り込みと同義となる。
【００３７】
このように、溝部分５３ａを形成すると、収納ケース１００の側面で溝部分５３ａ位置はフランジ３７との側部長さｈが、収納ケース１００の側面部の深さに比べ確実に狭くなり、この溝部分５３ａの位置の剛性が低くなる。従って、収納ケース１００が落下した場合、この溝部分５３ａがフランジ３７と共に収納ケース１００の撓みの中心となる。このような撓みにより衝撃吸収すると、リール軸線を傾ける方向への撓みがより鮮明となり、磁気テープ２１端面が磁気テープ巻回リール２５のフランジ２３に押しつけられる衝撃の方向を変えて、磁気テープ２１が傷つくことを抑えることができる。
例えば、側部長さｈは収納ケース１００の側面部の深さに対して、材料としてＰＳ（ポリスチレン）を使用し、成型前のシート材料厚みを１．２ｍｍとした場合、絞り込み深さはケース深さの０．５５の比に設定することが最適である。このように、使用する材料の強度により適宜に設定される。
【００３８】
そして、収納ケース１００の側部での溝部分５３ａによる絞り込み程度が、所望のケース弾性に対応する所定値とすることで、収納ケースの剛性と衝撃吸収能力とを最適のバランスにさせることができる。ここで、絞り込みの程度を大きくするということは、側部長さｈを短くすることであり、ケースとしての強度に問題が発生する可能性がある。また、突出成形高さが低すぎると、カートリッジの保持にも問題があり、ケースとしての強度が強くなり過ぎ、カートリッジ、特にリール軸方向に衝撃を伝えてしまう恐れもある。
このカートリッジ収納ケースによれば、落下させてしまった場合や、外部から物体が衝突した場合等に、その際の衝撃を受けて撓むことで、磁気テープ巻回リールの軸方向の衝撃をそらすことができる。
【００３９】
ここで、各区画室３３の外部底面部には、相互に遊嵌可能な大小の四角枠部５７，５９が膨出されている。これらにより、収納ケース１００が上下方向に積載されても、上側の収納ケース１００下面の四角枠部５７，５９が、下側の収納ケース１００上面の四角枠部５７，５９に嵌合して、相対的な横ずれが規制されて段積み時の崩れ防止が図られるようになっている。
【００４０】
本実施形態の材料である可塑性樹脂は、例えばポリエチレンテレフタレート、ポリプロピレン、ポリスチレンのいずれかを含むものとすることができる。可塑性樹脂が、ポロエチレンテレフタレート、ポリプロピレン、ポリスチレンのいずれかとなることで、材料の入手が容易となるとともに、廃品となった後の回収・再利用が可能で、容易かつ安価な真空成形が可能となる。
【００４１】
また、可塑性樹脂は、透光性を有するものであることが好ましい。これにより、上ケース２９、下ケース３１が係合され、区画室３３が密閉状態となった場合においても、区画室３３内に収納されるカートリッジ２７が外部より視認可能となり、密閉された区画室３３内のカートリッジ２７における収納状況が容易に把握可能となる。
【００４２】
また、厚みが０．５〜２．０ｍｍの可塑性樹脂のシートを用いて、延伸加工により形成することで、複数のカートリッジ群３３を収納する区画室３３の最低構造強度が経済的に確保されるとともに、ケース全体の重量も最低強度を満足しつつ最小とすることができる。また、上記厚さで形成されることで、外力が加えられた際の適度な変形が可能となり、カートリッジ２７に対する衝撃吸収作用を最適に確保することが可能となる。つまり、これより薄いと、変形が容易となり過ぎ、衝撃吸収効果が低下する。また、これより厚いと、変形し難くなり、衝撃力がカートリッジ２７に直接伝達されてしまうことになる。本構成では、可塑性樹脂のシート厚みが上記厚さに設定されることで、最適な衝撃吸収部（クラッシャブルゾーン）の形成が可能となる。
【００４３】
図３に示すように、上ケース２９と下ケース３１とを組み付けることで、カートリッジ群３３を収納した収納ケース１００は、落下させてしまった場合に、フランジ３７が床面や地面に最初に衝突し、磁気テープ巻回リール２５の軸方向に衝撃が与えられる。すると、フランジ３７が変形することで衝撃エネルギーを吸収する。しかし、その際の衝撃エネルギーが大きいと、磁気テープ巻回リール２５の軸方向に直交する方向に配置されている一方の仕切り部５３（溝部分５３ａ）が自ら撓むことでクッション材となってその衝撃を吸収する。そして、同時的に、第１緩衝リブ４１及び第３緩衝リブ４５が撓む。これにより、その衝撃を吸収することで、磁気テープ２１を磁気テープ巻回リール２５のフランジ２３に当てないようにして、磁気テープ２１を所定の巻き状態に保持することができる。
【００４４】
したがって、上記のカートリッジ収納ケース１００によれば、外部から物体が衝突した場合や、落下させてしまった場合等に、磁気テープ巻回リール２５の軸方向に衝撃が与えられたとしても、その衝撃を仕切り部５３が吸収して磁気テープ２１を磁気テープ巻回リール２５のフランジ２３に当てないようにするとともに、その衝撃をフランジ３７及び溝部分５３ａが吸収することでカートリッジ２７の品質を保障することができる。また、複数のカートリッジ２７を厚さ方向に並置させてブロック状としたカートリッジ群３５を保持する区画室３３を形成したので、複数のカートリッジ２７をブロック状に纏めた分、従来のように、複数のカートリッジを個々に収納する必要がないので、厚さ方向に重ねて保持した複数のカートリッジ２７を纏めて区画室に納めることができ、短時間に効率の良い収納が可能となり、収納作業効率を大幅に向上させることができる。
【図面の簡単な説明】
【００４５】
【図１】本発明に係るカートリッジ収納ケースの上ケースと下ケースとの分離された分解斜視図である。
【図２】図１に示した下ケースの平面視を（ａ）その側面視を（ｂ）に示した下ケース説明図である。
【図３】図１に示したカートリッジ収納ケースの上ケースと下ケースとを組み付けた斜視図である。
【図４】従来の段ボール箱収納方式を表した説明図である。
【図５】従来の収納ケースを表した斜視図である。
【符号の説明】
【００４６】
２５  磁気テープ巻回リール
２７  カートリッジ
２９  上ケース
３１  下ケース
３３  区画室
３５  カートリッジ群
３７  フランジ
４１  第１緩衝リブ（緩衝リブ）
４７  凸部（凸条）
４９  凹部（凹溝）
５３  仕切り部
５３ａ  溝部分
１００  カートリッジ収納ケース
【図１】
2007204080.tif 000003
【図２】
2007204080.tif 000004
【図３】
2007204080.tif 000005
【図４】
2007204080.tif 000006
【図５】
2007204080.tif 000007